(57)【要約】【課題】この発明は梱包作業や解梱作業が容易に行え、しかも繰り返して使用することができるようにしたシート状梱包装置を提供することにある。【解決手段】クッション性を有し、四つの角部を内方へ折り畳むことで被梱包物を包み込む矩形状のシート体１と、シート体の対応する一対の角部にそれぞれ一端が固定され他端に互いに着脱可能に連結する連結具８，９が設けられた一対の連結ベルト６，７と、シート体の他方の一対の角部のうちの一方に一端が固定された封止ベルト１３と、シート体の４つの角部を内方へ折り畳んだときに封止ベルトの他端部が連結されてシート体を折り畳んだ状態で保持する取り付けベルト１２と、折り畳まれたシート体の周囲を固縛するとともに、固縛位置の調整可能に設けられる一対の固縛ベルトと、一対の固縛ベルトに一端と他端とを着脱可能に連結して設けられる肩掛けベルトとを具備する。【選択図】      図１
2006076621.tif 000002
【特許請求の範囲】
【請求項１】
被梱包物を被覆梱包する梱包装置であって、
クッション性を有し、内面に上記被梱包物が載置され四つの角部を内方へ折り畳むことで上記被梱包物を包み込む矩形状のシート体と、
このシート体の一方の対角線方向に位置する一対の角部にそれぞれ一端が固定され他端にこの一対の角部を内方へ折り畳んだときに互いに着脱可能に連結する連結具が設けられた一対の連結ベルトと、
上記シート体の他方の対角線方向に位置する一対の角部のうちの一方に一端が固定されて設けられた封止ベルトと、
上記シート体の外面に設けられシート体の４つの角部を内方へ折り畳んだときに上記封止ベルトの他端部が連結されこの封止ベルトが設けられた上記シート体の角部を折り畳んだ状態で保持する連結部と、
４つの角部が折り畳まれたシート体の周囲を固縛するとともに、このシート体の上記一方の対角線方向に沿う固縛位置の調整可能に設けられる一対の固縛ベルトと、
一対の固縛ベルトに一端と他端とを着脱可能に連結して設けられる肩掛けベルトと
を具備したことを特徴とするシート状梱包装置。
【発明の詳細な説明】
【技術分野】
【０００１】
この発明はシート体によって被梱包物を包んで梱包するためのシート状梱包装置に関する。
【背景技術】
【０００２】
たとえば、被梱包物となる福祉用具をレンタルしたり、レンタルしたものを引き上げるような場合、その福祉用具を作業者がユーザとレンタル店との間を運搬するということが行われる。福祉用具の種類によっては搬送時にぶつけると傷が付き易いものもあり、傷をつけてしまうと、再度レンタルする際に補修しなければならない。
【０００３】
また、ユーザの家庭に搬入する際、福祉用具を壁や家具などにぶつけると、それらを傷つけるということもある。したがって、福祉用具などを運搬する場合、運搬時にぶつけるなどしても、その物品や家具などに傷が付くことがないよう梱包するようにしている。
【０００４】
従来、福祉用具などの被梱包物を梱包する場合、その被梱包物をダンボールなどの梱包箱に緩衝材を介して収容し、この梱包箱を封止した後、梱包箱に手掛け用のベルトを掛け、このベルトを持って運搬するということが行われていた。
【発明の開示】
【発明が解決しようとする課題】
【０００５】
しかしながら、梱包箱を用いて梱包すると、その梱包作業や解梱作業に手間がかかるということがあるばかりか、梱包箱や緩衝材は早期に傷み易いから、繰り返して使用するということがほとんどできず、コスト高になるということがあった。
【０００６】
しかも、梱包箱に手掛け用のベルトを掛け、作業者がこのベルトを手で持って運搬するようにしたのでは、物品が比較的重いような場合には作業者に掛かる負担が大きくなるということがあった。
【０００７】
この発明は、被梱包物の梱包作業や解梱作業を容易に行うことができ、しかも繰り返して使用することが可能であるばかりか、梱包した状態での運搬作業を比較的楽に行うことができるようにしたシート状梱包装置を提供することにある。
【課題を解決するための手段】
【０００８】
被梱包物を被覆梱包する梱包装置であって、
クッション性を有し、内面に上記被梱包物が載置され四つの角部を内方へ折り畳むことで上記被梱包物を包み込む矩形状のシート体と、
このシート体の一方の対角線方向に位置する一対の角部にそれぞれ一端が固定され他端にこの一対の角部を内方へ折り畳んだときに互いに着脱可能に連結する連結具が設けられた一対の連結ベルトと、
上記シート体の他方の対角線方向に位置する一対の角部のうちの一方に一端が固定されて設けられた封止ベルトと、
上記シート体の外面に設けられシート体の４つの角部を内方へ折り畳んだときに上記封止ベルトの他端部が連結されこの封止ベルトが設けられた上記シート体の角部を折り畳んだ状態で保持する連結部と、
４つの角部が折り畳まれたシート体の周囲を固縛するとともに、このシート体の上記一方の対角線方向に沿う固縛位置の調整可能に設けられる一対の固縛ベルトと、
一対の固縛ベルトに一端と他端とを着脱可能に連結して設けられる肩掛けベルトと
を具備したことを特徴とするシート状梱包装置にある。
【発明の効果】
【０００９】
この発明によれば、シート体を折り畳んで被梱包物を被覆し、このシート体を固縛ベルトで固縛して梱包するとともに、この固縛ベルトに肩掛けベルトを連結できるようにしたから、梱包作業や解梱作業を容易に行うことができるばかりか、シート体を繰り返して使用することが可能であり、しかも作業者は固縛ベルトに連結された肩掛けベルトを肩に掛けることで、運搬作業を容易に行うことが可能となる。
【発明を実施するための最良の形態】
【００１０】
以下、この発明の一実施の形態を図面を参照して説明する。  
図１はこの発明のシート状梱包装置を構成する矩形状、この実施の形態では正方形のシート体１の外面を示す図である。このシート体１は、図３に断面して示すように所定の厚さのポリエステル綿２の上下面に防水フィルム３を重合し、これら防水フィルム３にポリエステル繊維によって形成された外装布４を重合し、この重合体を超音波キルト加工によって一体化して形成されている。つまり、シート体１はポリエステル面２によってクッション性を有するとともに、防水フィルム３によって防水性を備えた構造となっている。
【００１１】
上記シート体１の一対の対角線のうち、一方の対角線方向に沿う一対の角部の外面にはそれぞれ第１の連結ベルト６と第２の連結ベルト７との一端が逢着されている。第１の連結ベルト６の他端にはオス側連結具８が設けられ、第２の連結ベルト７の他端には上記オス側連結具８に着脱可能に連結するメス側連結具９が設けられている。
【００１２】
第１、第２のベルト６，７の中途部には、各ベルトをそれぞれ長さ調整するためのアジャスタ１１が設けられている。シート体１の内面を上にし、各ベルト６，７の一端が固定されたシート体１の一対の角部を内方へ折り畳めば、各ベルト６，７の他端に設けられたオス側連結具８とメス側連結具９とを着脱可能に連結することができる。
【００１３】
図１と図２に示すように、上記シート体１の外面の一方の対角線方向に沿う中途部には、連結部としての一対の取り付けベルト１２が両端部及び中途部の二箇所を上記シート本体１に逢着して所定の間隔で設けられている。
【００１４】
上記シート体１の外面の他方の対角線方向に沿う一方の角部の外面にはベルベットファスナからなる封止ベルト１３が一端を固定して設けられている。この封止ベルト１３の他端部は、上記シート体１の他方の対角線方向に位置する一対の角部を内方に折り畳んだときに、少なくとも一方の取り付けベルト１２のシート体１に固定されていない部分に通して折り曲げて重合することで、その重合部分を着脱可能に係着させることができるようになっている。それによって、シート体１の封止ベルト１３が設けられた角部が折り曲げられた状態で保持される。
【００１５】
つまり、上記封止ベルト１３は、シート体１の４つの角部をこのシート体１の内面側に折り畳んだときに、上記取り付けベルト１２に連結することで、シート体１の折り畳み状態を維持することができるようになっている。図１４は封止ベルト１３の端部を下側の取り付けベルト１２に連結した状態を拡大して示す。図１４は封止ベルト１３の端部を下側の取り付けベルト１２に連結した状態を拡大して示す。被梱包物１７が大きく、封止ベルト１３が下側の取り付けベルト１２に連結できないときには、上記封止ベルト１３を上側の取り付けベルト１２に連結すればよい。
【００１６】
図１と図２に示すように、シート体１の外面に設けられた一対の取り付けベルト１２の間には、シート体１の一方の対角線方向に沿ってベルベットファスナからなる帯状の固定バンド１５及びこの固定バンド１５に着脱可能に係着する止めバンド１６が長手方向の一端を上記シート体１に縫着して設けられている。
【００１７】
図６乃至図１３は上記構成のシート体１を用いて福祉用具などの被梱包物１７を梱包する手順を示している。まず、図６に示すように上記シート体１の内面の中央部に福祉用具などの被梱包物１７を載置する。
【００１８】
つぎに、図７に示すように、シート体１の第１、第２の連結ベルト６，７が連結された一対の角部を内方へ折り畳み、これら連結ベルト６，７の他端部に設けられたオス側連結具８とメス側連結具９とを連結する。このとき、被梱包物１７の大きさに合わせて各連結ベルト６，７の長さをアジャスタ１１によって調整する。
【００１９】
一対の連結ベルト６，７を連結したならば、図８に示すようにシート体１の他方の対角線方向に沿う封止ベルト１３が設けられていない角部を内方へ折り畳んだ後、封止ベルト１３が設けられた角部を図９に示すように内方へ折り畳む。ついで、図１０と図１４に示すように、その角部に設けられた封止ベルト１３をシート体１の外面に設けられた一対の取り付けベルト１２のうち、下側の取り付けベルト１２に通して折り曲げ、折り曲げた先端部を重ねて係着させる。それによって、４つの角部が内方へ折り畳まれたシート体１は、折り畳まれた状態で維持されることになる。
【００２０】
このようにしてシート体１を折り畳んだならば、このシート体１を、図９と図１０に示すように予め一端部がシート体１の外面に設けられた固定バンド１５と止めバンド１６とによってメス側連結具２４が設けられた一端部が挟まれて保持された一対の固縛ベルト２１によって固縛する。
【００２１】
一対の固縛ベルト２１は、止めバンド１６のシート体１によって被覆された被梱包物１７の長手方向に沿う位置がこの被梱包物１７の重心位置を中心にして前後方向にほぼ対称となる位置に位置決めされる。
【００２２】
上記固縛ベルト２１は、図４（ａ），（ｂ）に示すようにアジャスタ２２によって長さ調整可能になっているとともに、長手方向一端と他端とにそれぞれ着脱可能に連結するオス側連結具２３とメス側連結具２４とが設けられている。さらに、固縛ベルト２１には図４（ｃ）に示す係止孔２５及び固縛ベルト２１が通される通孔２５ａが形成された連結具２６がスライド可能に設けられている。
【００２３】
位置決めされた一対の固縛ベルト２１は上記シート体１の外面に巻装される。すなわち、一対の固縛ベルト２１は図１１に示すように被梱包物１７を被覆したシート体１の外周面に巻回された後、その両端部に設けられたメス側連結具２４にオス側連結具２３を連結する。そして、アジャスタ２２によって長さ調整してシート体１を介して被梱包物１７を固縛する。一対の固縛ベルト２１は、被梱包物１７を固縛し、しかも互いに係着した上記止めバンド１６と固定バンド１５とで挟持されることで、上記シート体１に対して移動不能に保持される。
【００２４】
シート体１を一対の固縛ベルト２１で固縛したならば、図１２と図１５に示すようにこれらの固縛ベルト２１に設けられた連結具２６に肩掛けベルト２７を取り付ける。この肩掛けベルト２７は、図５（ａ），（ｂ）に示すようにアジャスタ２８によって長さ調整可能になっているとともに、両端にはフック２９が設けられている。そして、肩掛けベルト２７は一対のフック２９を一対の固縛ベルト２１に設けられた連結具２６の係止孔２５に着脱可能に係合させて設けられる。
【００２５】
図１３は作業者Ｗが肩掛けベルト２７を肩に掛け、片方の手で取り付けベルト１２を把持してシート体１によって梱包された被梱包物１７を運搬している状態を示している。このように、肩掛けベルト２７を利用して被梱包物１７を運搬することができるため、被梱包物１７が比較的重たいものであっても、作業者Ｗに掛かる負担を軽減することができる。しかも、一対の固縛ベルト２１を、被梱包物１７の重心位置を中心にして前後方向に対称に設けられているため、作業者Ｗは肩掛けベルト２７によって被梱包物１７をバランスよく運搬することができる。
【００２６】
上記シート体１はクッション性を備えている。そのため、被梱包物１７を運搬中に、ぶつけるようなことがあっても、シート体１によって保護されるばかりか、家屋内に運び込んで家具や壁などにぶつけても、それらを傷付けるのを防ぐことができる。さらに、シート体１は防水性を備えているから、このシート体１によって梱包された被梱包物１７を雨水によって濡らすのを防止することもできる。
【００２７】
上記シート体１による被梱包物１７の梱包は、シート体１を４つの角部を折り曲げ、そのうちの一対の角部を第１、第２の連結具６，７で連結し、残りの一対の角部の一方を封止ベルト１３で取り付けベルト１２に連結したのち、一対の固縛ベルト２１で固縛し、これら固縛ベルト２１に肩掛けベルト２７を連結するだけでよい。そのため、シート体１による被梱包物１７の梱包作業を簡単かつ迅速に行うことができるばかりか、梱包作業と同様、解梱作業も簡単かつ迅速に行うことができる。
【００２８】
上記シート体１は繰り返して使用しても、梱包箱のように早期に損傷するということがほとんどないから、長期間にわたって繰り返して使用することができ経済的である。しかも、シート体１は柔軟であるから、被梱包物１７の形状に大きな制限を受けることなく、梱包することができる。
【図面の簡単な説明】
【００２９】
【図１】この発明の一実施の形態を示すシート体の外面を示す平面図。
【図２】図１に示すシート体の側面図。
【図３】シート体の一部を拡大して示す断面図。
【図４】固縛ベルト及びこの固縛ベルトに設けられた連結具を示す図。
【図５】肩掛けベルトを示す図。
【図６】シート体の被梱包物を際した説明図。
【図７】被梱包物が載置されたシート体の一角角部を折り曲げた説明図。
【図８】図７の状態からシート体の１つの角部をさらに折り曲げた説明図。
【図９】図８の状態から残りの１つの角部を折り曲げた説明図。
【図１０】図９の状態で折り曲げた角部に設けられた封止ベルトを取り付けベルトに連結した状態の説明図。
【図１１】シート体を固縛ベルトによって固縛した説明図。
【図１２】固縛ベルトに肩掛けベルトを連結した説明図。
【図１３】作業者が肩掛けベルトを肩に掛けて被梱包物を運搬する状態の説明図。
【図１４】封止ベルトを取り付けベルトに連結した状態の拡大図。
【図１５】固縛ベルトに連結された肩掛けベルトの一端部の拡大図。
【符号の説明】
【００３０】
１…シート体、６…第１の連結ベルト、７…第２の連結ベルト、８…オス側連結具、９…メス側連結具、１３…封止ベルト、１２…取り付けベルト（連結部）、２１…固縛ベルト、２７…肩掛けベルト。
【図１】
2006076621.tif 000003
【図２】
2006076621.tif 000004
【図３】
2006076621.tif 000005
【図４】
2006076621.tif 000006
【図５】
2006076621.tif 000007
【図６】
2006076621.tif 000008
【図７】
2006076621.tif 000009
【図８】
2006076621.tif 000010
【図９】
2006076621.tif 000011
【図１０】
2006076621.tif 000012
【図１１】
2006076621.tif 000013
【図１２】
2006076621.tif 000014
【図１３】
2006076621.tif 000015
【図１４】
2006076621.tif 000016
【図１５】
2006076621.tif 000017